【手続補正書】
【提出日】平成21年7月8日(2009.7.8)
【手続補正１】
【補正対象書類名】明細書
【補正対象項目名】特許請求の範囲
【補正方法】変更
【補正の内容】
【特許請求の範囲】
【請求項１】
２値画像を入力して処理する画像処理装置であって、
入力した２値画像のパターンベクトルを算出する算出手段と、
前記算出手段により算出された前記パターンベクトルと参照パターンベクトルとの相関係数を演算する演算手段と、
前記２値画像に埋め込むアクセス制御情報を入力する入力手段と、
前記入力手段により入力された前記アクセス制御情報に応じて、前記演算手段により演算された前記相関係数が所定の範囲に含まれるように前記パターンベクトルの特徴量空間を移動する移動手段と、
前記特徴量空間を移動したパターンベクトルに基づいて、前記２値画像を変更する変更手段と、
を有することを特徴とする画像処理装置。
【請求項２】
前記算出手段は、
前記２値画像の輪郭部を抽出する輪郭抽出手段と、
前記輪郭抽出手段により抽出された輪郭部を複数のブロックに分割する分割手段とを有し、
前記複数のブロックのそれぞれのパターンベクトルを算出することを特徴とする請求項１に記載の画像処理装置。
【請求項３】
前記移動手段は、
前記入力手段により入力された前記アクセス制御情報の各ビットを前記分割手段により分割された各ブロックに割り当て、当該ビットが“０”のときは、前記相関係数ｒが-def＜ｒ＜defとなるように、又前記ビットが“１”のときは前記相関係数ｒが−１≦ｒ≦-def、又はdef≦ｒ≦１となるように移動する（defは、０≦def≦１の値である）ことを特徴とする請求項２に記載の画像処理装置。
【請求項４】
前記移動手段は、前記２値画像の特徴量ベクトルの各要素の値が増える方向に移動することを特徴とする請求項１に記載の画像処理装置。
【請求項５】
前記特徴量空間は、前記２値画像の輪郭画像の各画素において、当該画素の周辺画素が存在しているか否かを示すベクトル情報の集合であることを特徴とする請求項１に記載の画像処理装置。
【請求項６】
前記変更手段により変更された前記２値画像に対応する画像データに基づいて印刷する印刷手段を更に有することを特徴とする請求項１に記載の画像処理装置。
【請求項７】
前記変更手段により変更された前記２値画像に基づいて形成された原稿画像を読み取って、当該画像の輪郭部を抽出する抽出手段と、
前記輪郭部に対応する画像のパターンベクトルを求める手段と、
前記参照パターンベクトルと前記パターンベクトルとの相関係数を前記演算手段により求め、前記相関係数に応じて前記原稿画像に埋め込まれている前記アクセス制御情報を検出する検出手段と、
を更に有することを特徴とする請求項１に記載の画像処理装置。
【請求項８】
原稿画像を読み取って、画像の輪郭部を抽出する抽出手段と、
前記輪郭部に対応する画像のパターンベクトルを求める手段と、
参照パターンのパターンベクトルと前記画像のパターンベクトルとの相関係数を求める相関係数演算手段と、
前記相関係数演算手段により求められた前記相関係数に応じて、前記原稿画像に埋め込まれている制御情報を検出する検出手段と、
を有することを特徴とする画像処理装置。
【請求項９】
２値画像を入力して処理する画像処理方法であって、
入力した２値画像のパターンベクトルを算出する算出工程と、
前記算出工程で算出された前記パターンベクトルと参照パターンベクトルとの相関係数を演算する演算工程と、
前記２値画像に埋め込むアクセス制御情報を入力する入力工程と、
前記入力工程で入力された前記アクセス制御情報に応じて、前記演算工程で演算された前記相関係数が所定の範囲に含まれるように前記パターンベクトルの特徴量空間を移動する移動工程と、
前記特徴量空間を移動したパターンベクトルに基づいて、前記２値画像を変更する変更工程と、
を有することを特徴とする画像処理方法。
【請求項１０】
前記算出工程は、
前記２値画像の輪郭部を抽出する輪郭抽出工程と、
前記輪郭抽出工程で抽出された輪郭部を複数のブロックに分割する分割工程とを有し、
前記複数のブロックのそれぞれのパターンベクトルを算出することを特徴とする請求項９に記載の画像処理方法。
【請求項１１】
前記移動工程は、
前記入力工程で入力された前記アクセス制御情報の各ビットを前記分割工程で分割された各ブロックに割り当て、当該ビットが“０”のときは、前記相関係数ｒが-def＜ｒ＜defとなるように、又前記ビットが“１”のときは前記相関係数ｒが−１≦ｒ≦-def、又はdef≦ｒ≦１となるように移動する（defは、０≦def≦１の値である）ことを特徴とする請求項１０に記載の画像処理方法。
【請求項１２】
前記移動工程は、前記２値画像の特徴量ベクトルの各要素の値が増える方向に移動することを特徴とする請求項９に記載の画像処理方法。
【請求項１３】
前記特徴量空間は、前記２値画像の輪郭画像の各画素において、当該画素の周辺画素が存在しているか否かを示すベクトル情報の集合であることを特徴とする請求項９に記載の画像処理方法。
【請求項１４】
前記変更工程で変更された前記２値画像に対応する画像データに基づいて印刷する印刷工程を更に有することを特徴とする請求項９に記載の画像処理方法。
【請求項１５】
前記変更工程で変更された前記２値画像に基づいて形成された原稿画像を読み取って、当該画像の輪郭部を抽出する抽出工程と、
前記輪郭部に対応する画像のパターンベクトルを求める工程と、
前記参照パターンベクトルと前記パターンベクトルとの相関係数を前記演算工程で求め、前記相関係数に応じて前記原稿画像に埋め込まれている前記アクセス制御情報を検出する検出工程と、
を更に有することを特徴とする請求項９に記載の画像処理方法。
【請求項１６】
原稿画像を読み取って、画像の輪郭部を抽出する抽出工程と、
前記輪郭部に対応する画像のパターンベクトルを求める工程と、
参照パターンのパターンベクトルと前記画像のパターンベクトルとの相関係数を求める相関係数演算工程と、
前記相関係数演算工程で求められた前記相関係数に応じて、前記原稿画像に埋め込まれている制御情報を検出する検出工程と、
を有することを特徴とする画像処理方法。
【請求項１７】
請求項９乃至１６のいずれか１項に記載の画像処理方法をコンピュータに実行させるためのプログラムを記憶した、コンピュータにより読取り可能な記憶媒体。
【手続補正２】
【補正対象書類名】明細書
【補正対象項目名】００１１
【補正方法】変更
【補正の内容】
【００１１】
【課題を解決するための手段】
上記目的を達成するために本発明の画像処理装置は以下のような構成を備える。即ち、
２値画像を入力して処理する画像処理装置であって、
入力した２値画像のパターンベクトルを算出する算出手段と、
前記算出手段により算出された前記パターンベクトルと参照パターンベクトルとの相関係数を演算する演算手段と、
前記２値画像に埋め込むアクセス制御情報を入力する入力手段と、
前記入力手段により入力された前記アクセス制御情報に応じて、前記演算手段により演算された前記相関係数が所定の範囲に含まれるように前記パターンベクトルの特徴量空間を移動する移動手段と、
前記特徴量空間を移動したパターンベクトルに基づいて、前記２値画像を変更する変更手段と、を有することを特徴とする。
【手続補正３】
【補正対象書類名】明細書
【補正対象項目名】００１３
【補正方法】変更
【補正の内容】
【００１３】
上記目的を達成するために本発明の画像処理方法は以下のような工程を備える。即ち、
２値画像を入力して処理する画像処理方法であって、
入力した２値画像のパターンベクトルを算出する算出工程と、
前記算出工程で算出された前記パターンベクトルと参照パターンベクトルとの相関係数を演算する演算工程と、
前記２値画像に埋め込むアクセス制御情報を入力する入力工程と、
前記入力工程で入力された前記アクセス制御情報に応じて、前記演算工程で演算された前記相関係数が所定の範囲に含まれるように前記パターンベクトルの特徴量空間を移動する移動工程と、
前記特徴量空間を移動したパターンベクトルに基づいて、前記２値画像を変更する変更工程と、を有することを特徴とする。